(57)【特許請求の範囲】
【請求項１】
主電源と、投写部と、当該投写部を制御するメインＣＰＵと、前記主電源からの電力を第１の電圧に変換して前記メインＣＰＵに供給する第１の電源供給部と、前記メインＣＰＵおよび前記第１の電源供給部を制御するサブＣＰＵと、前記主電源が通電していない電源断状態となった後に前記メインＣＰＵ及び前記サブＣＰＵに所定時間電力を供給することが可能なバックアップ電源とを有する投写装置において、
前記メインＣＰＵは、前記主電源の通電を監視することで前記主電源が前記電源断状態であるかどうかを判定するとともに、前記主電源が前記電源断状態である場合、終了処理を実行するとともに、当該終了処理後に前記サブＣＰＵに前記主電源が前記電源断状態であることを示す通知情報を送信し、
前記サブＣＰＵは、前記通知情報を受信した場合、前記第１の電源供給部を停止させるとともに、前記メインＣＰＵのリセット処理を実行することを特徴とする投写装置。
【請求項２】
請求項１に記載の投写装置において、
前記サブＣＰＵは、前記メインＣＰＵのリセット処理後に前記主電源の状態を監視し、前記電源断状態のまま所定時間経過する前に前記主電源が通電状態になった場合、前記第１の電源供給部を起動することによって前記メインＣＰＵを起動し、前記電源断状態のまま所定時間経過した場合、自動的に停止することを特徴とする投写装置。
【請求項３】
請求項１、２のいずれかに記載の投写装置において、
前記主電源からの電力を第２の電圧に変換して前記投写部に供給する第２の電源供給部を含み、
前記サブＣＰＵは、前記第１の電源供給部を停止させる際に前記第２の電源供給部も停止させ、前記第１の電源供給部を起動させる際に前記第２の電源供給部も起動させることを特徴とする投写装置。
【請求項４】
主電源と、投写部と、当該投写部を制御するメインＣＰＵと、前記主電源からの電力を第１の電圧に変換して前記メインＣＰＵに供給する第１の電源供給部と、前記メインＣＰＵおよび前記第１の電源供給部を制御するサブＣＰＵと、前記主電源が通電していない電
源断状態となった後に前記メインＣＰＵ及び前記サブＣＰＵに所定時間電力を供給することが可能なバックアップ電源とを有する投写装置の制御方法であって、
前記メインＣＰＵは、
前記主電源の通電を監視することで前記主電源が前記電源断状態であるかどうかを判定し、
前記主電源が前記電源断状態である場合、終了処理を実行し、
前記サブＣＰＵに前記主電源が前記電源断状態であることを示す通知情報を送信し、
前記サブＣＰＵは、
前記通知情報を受信した場合、前記第１の電源供給部を停止させ、
前記メインＣＰＵのリセット処理を実行することを特徴とする制御方法。
【発明の詳細な説明】
【技術分野】
【０００１】
本発明は、投写装置および制御方法に関する。
【背景技術】
【０００２】
一般的な停電状態または通電状態の場合、投写装置は適切に動作するが、瞬時停電の場合、投写装置が適切に動作しない場合がある。
【０００３】
瞬時停電の場合、投写装置は、一旦電源断状態と同等の状態になった後、通電状態になる。このように、瞬時停電の場合、電源状態が不安定になることにより、各デバイスの動作が不安定になり、投写装置全体の動作が不安定になる可能性があった。
【０００４】
また、瞬時停電の場合、投写装置を安定した状態で稼働させるためには、ユーザーは、投写装置の電源コードの抜き差しを行う必要があった。
【０００５】
例えば、特許文献１では、省スペース化と停電時のシステムの正常終了を目的として、電圧異常低下検出手段と、電圧の異常低下検出時に各制御基板にリセット信号を送信するリセット信号送信手段と、電源復帰時にサブ制御基板とメイン制御基板にパワーオンリセット信号を備えた電源ユニットを有するパチンコ機の電源供給装置が記載されている。
【０００６】
また、特許文献１の００２４段落では、システムリセット制御回路が、停電開始から所定時間経過前に電源が復帰した場合、以降のリセット制御を実行しないことにより、瞬時停電時にパチンコ機の制御システムを終了させてしまうことを未然に防止することが記載されている。
【特許文献１】特開２００２−３５２４４号公報
【発明の開示】
【発明が解決しようとする課題】
【０００７】
しかし、投写装置の場合、投写部等を安定して動作させる必要があるため、メインＣＰＵが動作している状態においては、メインＣＰＵが主電源を監視し、主電源が電源断状態になった場合、即座に終了処理を実行する必要がある。
【０００８】
このため、投写装置の場合、特許文献１の手法のように、電源ユニットのみがシステムリセット制御を行う手法を採用することはできない。
【０００９】
本発明の目的は、瞬時停電時においても安定して動作することが可能な投写装置および制御方法を提供することにある。
【課題を解決するための手段】
【００１０】
上記課題を解決するため、本発明に係る投写装置は、
主電源と、投写部と、当該投写部を制御するメインＣＰＵと、前記主電源からの電力を第１の電圧に変換して前記メインＣＰＵに供給する第１の電源供給部と、前記メインＣＰＵおよび前記第１の電源供給部を制御するサブＣＰＵとを有する投写装置において、
前記メインＣＰＵは、前記主電源が電源断状態であるかどうかを判定するとともに、前記主電源が前記電源断状態である場合、終了処理を実行するとともに、当該終了処理後に前記サブＣＰＵに前記主電源が前記電源断状態であることを示す通知情報を送信し、
前記サブＣＰＵは、前記通知情報を受信した場合、前記第１の電源供給部を停止させるとともに、前記メインＣＰＵのリセット処理を実行することを特徴とする。
【００１１】
また、本発明に係る制御方法は、
主電源と、投写部と、当該投写部を制御するメインＣＰＵと、前記主電源からの電力を第１の電圧に変換して前記メインＣＰＵに供給する第１の電源供給部と、前記メインＣＰＵおよび前記第１の電源供給部を制御するサブＣＰＵとを有する投写装置の制御方法であって、
前記メインＣＰＵは、
前記主電源が電源断状態であるかどうかを判定し、
前記主電源が前記電源断状態である場合、終了処理を実行し、
前記サブＣＰＵに前記主電源が前記電源断状態であることを示す通知情報を送信し、
前記サブＣＰＵは、
前記通知情報を受信した場合、前記第１の電源供給部を停止させ、
前記メインＣＰＵのリセット処理を実行することを特徴とする。
【００１２】
本発明によれば、投写装置は、サブＣＰＵを用いてメインＣＰＵを制御することにより、電源断時に必要な終了処理をメインＣＰＵに行わせてからメインＣＰＵを停止してリセットすることができるため、瞬時停電時においても安定して動作することができる。
【００１３】
また、前記サブＣＰＵは、前記メインＣＰＵのリセット処理後に前記主電源の状態を監視し、前記電源断状態のまま所定時間経過する前に前記主電源が通電状態になった場合、前記第１の電源供給部を起動することによって前記メインＣＰＵを起動し、前記電源断状態のまま所定時間経過した場合、自動的に停止してもよい。
【００１４】
これによれば、投写装置は、電源断状態のまま所定時間経過する前に主電源が通電状態になった場合、すなわち、瞬時停電の場合にメインＣＰＵを起動してスタンバイ状態とし、電源断状態のまま所定時間経過した場合、すなわち、通常の停電の場合にサブＣＰＵを停止させてシステム完全停止状態とすることができる。これにより、投写装置は、瞬時停電時においても安定して動作することができる。
【００１５】
また、前記投写装置は、前記主電源からの電力を第２の電圧に変換して前記投写部に供給する第２の電源供給部を含み、
前記サブＣＰＵは、前記第１の電源供給部を停止させる際に前記第２の電源供給部も停止させ、前記第１の電源供給部を起動させる際に前記第２の電源供給部も起動させてもよい。
【００１６】
これによれば、投写装置は、投写部等のメインＣＰＵ以外のデバイスも電源供給制御を行うことにより、瞬時停電時においても安定して動作することができる。
【発明を実施するための最良の形態】
【００１７】
以下、本発明をプロジェクタに適用した場合を例に採り、図面を参照しつつ説明する。なお、以下に示す実施例は、特許請求の範囲に記載された発明の内容を何ら限定するものではない。また、以下の実施例に示す構成の全てが、特許請求の範囲に記載された発明の解決手段として必須であるとは限らない。
【００１８】
図１は、本実施例におけるプロジェクタ１００の機能ブロック図である。
【００１９】
投写装置の一種であるプロジェクタ１００は、主電源１４０と、投写部１３０と、投写部１３０を制御するメインＣＰＵ１１０と、メインＣＰＵ１１０等を制御するサブＣＰＵ１２０と、外部装置（例えば、ＰＣ等）との通信を行うネットワーク部１６０とを含んで構成されている。
【００２０】
また、プロジェクタ１００は、主電源１４０からの電力を第１の電圧（例えば、３．３Ｖ）に変換してメインＣＰＵ１１０に供給する電源供給部１５０（第１の電源供給部）と、主電源１４０からの電力を第２の電圧（例えば、７．０Ｖ）に変換して投写部１３０に供給する電源供給部１５２（第２の電源供給部）と、主電源１４０からの電力を第３の電圧（例えば、５．０Ｖ）に変換してネットワーク部１６０に供給する電源供給部１５１とを含んで構成されている。
【００２１】
次に、これらの各部を用いた電源断時の制御手順について説明する。
【００２２】
図２は、本実施例における電源断時の制御手順を示すフローチャートである。また、図３は、本実施例における電源断時のタイミングチャートである。また、図４は、本実施例における投写装置の状態遷移図である。
【００２３】
現在の状態が、主電源１４０に電力が供給され、プロジェクタ１００のスイッチがオンになった通常状態であるものとする。通常状態の場合、メインＣＰＵ１１０およびサブＣＰＵ１２０は両方とも動作している状態である。
【００２４】
メインＣＰＵ１１０は、主電源１４０とＡＣ（電源コード）とのラインを監視することにより、主電源１４０が電源断（非通電）状態になったかどうかを判定する（ステップＳ１）。
【００２５】
メインＣＰＵ１１０は、主電源１４０が電源断状態になったことを検出した場合、必要な終了処理を実行する（ステップＳ２）。ここで、必要な終了処理としては、例えば、ファンの停止、オーディオミュート、投写部１３０の制御（液晶パネルの電圧制御等）等が該当する。
【００２６】
そして、メインＣＰＵ１１０は、終了処理後、サブＣＰＵ１２０へ主電源１４０が電源断状態であることを示す通知情報を送信する（ステップＳ３）。
【００２７】
サブＣＰＵ１２０は、当該通知情報を受信する（ステップＳ４）。
【００２８】
そして、サブＣＰＵ１２０は、プロジェクタ１００のＬＥＤを消灯し（ステップＳ５）、電源供給部１５０〜１５２を停止し（ステップＳ６）、メインＣＰＵ１１０やネットワーク部１６０等のデバイスのリセット処理を実行する（ステップＳ７）。
【００２９】
これにより、プロジェクタ１００は、通常状態からシステム停止準備状態に遷移する。
【００３０】
システム停止準備状態ではサブＣＰＵ１２０のみが動作し、主電源１４０の状態を監視し、電源断のまま所定時間（例えば、３〜１３秒であり、主電源１４０の電圧や動作条件によって決定される。）が経過するかどうかを判定する（ステップＳ８）。なお、メインＣＰＵ１１０は、電源断になってからもバックアップ電源によってある程度は動作可能であり、サブＣＰＵ１２０も、電源断になってからもバックアップ電源によってメインＣＰＵ１１０よりも長い時間動作可能である。
【００３１】
電源断のまま所定時間が経過した場合、サブＣＰＵ１２０も動作不能状態になって自動的に停止するため、プロジェクタ１００はシステム完全停止状態になる。システム完全停止状態では、プロジェクタ１００全体が停止した状態になる。
【００３２】
一方、電源断のまま所定時間が経過する前に主電源１４０が通電された場合（例えば、瞬時停電の場合等）、サブＣＰＵ１２０は、電源供給部１５０〜１５２を起動させ、メインＣＰＵ１１０を起動させる。
【００３３】
これにより、プロジェクタ１００はスタンバイ状態（ＬＥＤは消灯しているが、メインＣＰＵ１１０、サブＣＰＵ１２０は動作している状態）になる。
【００３４】
以上のように、本実施例によれば、プロジェクタ１００は、サブＣＰＵ１２０を用いてメインＣＰＵ１１０を制御することにより、電源断時に必要な終了処理をメインＣＰＵ１１０に行わせてからメインＣＰＵ１１０を停止してリセットすることができるため、瞬時停電時においても安定して動作することができる。
【００３５】
また、本実施例によれば、プロジェクタ１００は、電源断状態のまま所定時間経過する前に主電源１４０が通電状態になった場合、すなわち、瞬時停電の場合にメインＣＰＵ１１０を起動してスタンバイ状態とし、電源断状態のまま所定時間経過した場合、すなわち、通常の停電の場合にサブＣＰＵ１２０を停止させてシステム完全停止状態とすることができる。これにより、プロジェクタ１００は、瞬時停電時においても安定して動作することができる。
【００３６】
また、本実施例によれば、プロジェクタ１００は、投写部１３０、ネットワーク部１６０等のメインＣＰＵ１１０以外のデバイスも電源供給制御を行うことにより、瞬時停電時においても安定して動作することができる。
【００３７】
また、本実施例によれば、通常状態またはスタンバイ状態においては、メインＣＰＵ１１０が主電源１４０を監視することにより、主電源１４０の電源断を検出した場合に即座に液晶パネルの電圧制御等を行うことができ、プロジェクタ１００を安定して稼働させることができる上、主電源１４０が電源断になった場合でもバックアップ電源だけでメインＣＰＵ１１０およびサブＣＰＵ１２０がしばらくの間動作することができる。
【００３８】
また、このように、本実施例のプロジェクタ１００は、瞬時停電時においても安定して動作することができるため、ユーザーは、瞬時停電時においても電源コードの抜き差しを行うことなくプロジェクタ１００を使用することができる。
【００３９】
なお、本発明の適用は、上述した実施例に限定されず、種々の変形が可能である。
【００４０】
例えば、プロジェクタ１００は、液晶プロジェクタに限定されず、ＤＬＰプロジェクタ、ＣＲＴプロジェクタ、ＬＥＤプロジェクタ等であってもよい。
【００４１】
また、本発明の適用は、プロジェクタ１００に限定されず、例えば、プロジェクションＴＶ等の種々の投写装置を採用可能である。
【図面の簡単な説明】
【００４２】
【図１】本実施例におけるプロジェクタの機能ブロック図である。
【図２】本実施例における電源断時の制御手順を示すフローチャートである。
【図３】本実施例における電源断時のタイミングチャートである。
【図４】本実施例における投写装置の状態遷移図である。
【符号の説明】
【００４３】
１００  プロジェクタ（投写装置）、１１０  メインＣＰＵ、１２０  サブＣＰＵ、１３０  投写部、１４０  主電源、１５０  電源供給部（第１の電源供給部）、１５１  電源供給部、１５２  電源供給部（第２の電源供給部）、１６０  ネットワーク部
【図１】
0005182463.tif 000002
【図２】
0005182463.tif 000003
【図３】
0005182463.tif 000004
【図４】
0005182463.tif 000005